(57)【要約】【課題】  利用者が使用する移動体通信端末装置を用いて購入した購買情報と、移動体通信端末装置の位置情報と、を基に、利用者に最適な提供情報を提供する情報提供システムを提供する。【解決手段】  移動体通信端末装置（１０）が、提供情報の取得要求を、移動体通信端末装置（１０）の位置情報と、利用者識別情報と、共に、情報提供装置（３０）に送信し、情報提供装置（３０）が、移動体通信端末装置（１０）から取得要求と共に受信した利用者識別情報を基に、情報提供装置（３０）の具備する格納部に格納されている購買情報を取得し、該取得した購買情報と、該取得要求と共に受信した位置情報と、を基に、情報提供装置（３０）の具備する格納部を検索し、購買情報と、位置情報と、に関係する提供情報を取得し、該取得した提供情報を、移動体通信端末装置（１０）に送信する。【選択図】  図１
2006163728.tif 000002
【特許請求の範囲】
【請求項１】
利用者が使用する移動体通信端末装置と、前記利用者が前記移動体通信端末装置を用いて購入する購買情報の精算処理を行う購買情報管理装置と、前記移動体通信端末装置に提供する提供情報を管理する情報提供装置と、を有して構成される情報提供システムであって、
前記移動体通信端末装置は、
前記購買情報管理装置と近距離無線通信を行い、前記利用者が購入する購買情報の精算処理を行い、該精算処理が完了した前記購買情報を、前記利用者を識別するための利用者識別情報と共に、格納する購買情報格納手段と、
前記提供情報の取得要求を、前記移動体通信端末装置の位置情報と、前記利用者識別情報と、共に、前記情報提供装置に送信する提供情報取得要求手段と、
前記提供情報取要求手段により前記情報提供装置から取得する前記提供情報を表示する表示手段と、を有し、
前記購買情報管理装置は、
前記移動体通信端末装置と近距離無線通信を行い、前記精算処理を行った際の前記購買情報と、前記利用者識別情報と、を前記情報提供装置に送信する購買情報送手段を有し、
前記情報提供装置は、
前記提供情報を格納管理する提供情報格納手段を有し、該提供情報には、該提供情報に関係する位置情報と、購買情報と、が含まれており、
前記情報提供装置は、
前記購買情報管理装置から前記購買情報と、前記利用者識別情報と、を受信した際に、該受信した前記購買情報を、前記利用者識別情報に関連づけて格納する購買情報格納手段と、
前記移動体通信端末装置から前記提供情報の取得要求を受信した際に、該取得要求と共に受信した前記利用者識別情報を基に、前記購買情報格納手段により格納した前記購買情報を取得し、該取得した前記購買情報と、前記取得要求と共に受信した前記位置情報と、を基に、前記提供情報格納手段を検索し、前記購買情報と、前記位置情報と、に関係する前記提供情報を取得し、該取得した前記提供情報を、前記移動体通信端末装置に送信する情報提供手段と、
を有することを特徴とする情報提供システム。
【請求項２】
利用者が使用する移動体通信端末装置と、前記利用者が前記移動体通信端末装置を用いて購入する購買情報の精算処理を行う購買情報管理装置と、前記移動体通信端末装置に提供する提供情報を管理する情報提供装置と、を有して構成される情報提供システムであって、
前記移動体通信端末装置は、
前記購買情報管理装置と近距離無線通信を行い、前記利用者が購入する購買情報の精算処理を行い、該精算処理が完了した購買情報を、格納する購買情報格納手段と、
前記提供情報の取得要求を、前記移動体通信端末装置の位置情報と、前記購買情報と、共に、前記情報提供装置に送信する提供情報取得要求手段と、
前記提供情報取要求手段により前記情報提供装置から取得する前記提供情報を表示する表示手段と、を有し、
前記購買情報管理装置は、
前記移動体通信端末装置と近距離無線通信を行い、前記購買情報の精算処理を行う精算手段を有し、
前記情報提供装置は、
前記提供情報を格納管理する提供情報格納手段を有し、該提供情報には、該提供情報に関係する位置情報と、購買情報と、が含まれており、
前記情報提供装置は、
前記移動体通信端末装置から前記提供情報の取得要求を受信した際に、該取得要求と共に受信した前記購買情報と、前記位置情報と、を基に、前記提供情報格納手段を検索し、前記購買情報と、前記位置情報と、に関係する前記提供情報を取得し、該取得した前記提供情報を、前記移動体通信端末装置に送信する情報提供手段を有することを特徴とする情報提供システム。
【請求項３】
前記提供情報取得要求手段は、
前記移動体通信端末装置が、前記購買情報管理装置と近距離無線通信を行い、前記利用者が購入する購買情報の精算処理を行った際に、自動的に行われることを特徴とする請求項１または２記載の情報提供システム。
【請求項４】
前記移動体通信端末装置は、ＧＰＳ機能を用いて前記位置情報を取得することを特徴とする請求項１または２記載の情報提供システム。
【請求項５】
前記購買情報格納手段は、
前記購買情報管理装置から送信された前記購買情報と、前記利用者識別情報と、を格納し、前記購買情報の履歴を管理し、
前記情報提供手段は、
前記移動体通信端末装置から前記提供情報の取得要求を受信した際に、該取得要求と共に受信した前記利用者識別情報を基に、前記購買情報格納手段により格納した前記購買情報の履歴を取得し、該取得した前記購買情報の履歴を基に、前記移動体通信端末装置の利用者に最適な前記購買情報を絞り込み、該絞り込んだ前記購買情報と、前記取得要求と共に受信した前記位置情報と、を基に、前記提供情報格納手段を検索し、前記購買情報と、前記位置情報と、に関係する前記提供情報を取得し、該取得した前記提供情報を前記移動体通信端末装置に送信することを特徴とする請求項１記載の情報提供システム。
【請求項６】
前記購買情報格納手段は、
前記購買情報を格納し、前記購買情報の履歴を管理し、
前記提供情報取得要求手段は、
前記提供情報の取得要求を行う際に、前記購買情報格納手段により格納した前記購買情報の履歴を基に、前記移動体通信端末装置の利用者に最適な前記購買情報を絞り込み、該絞り込んだ前記購買情報と、前記位置情報と、共に、前記提供情報の取得要求を前記情報提供装置に送信することを特徴とする請求項２記載の情報提供システム。
【請求項７】
前記情報提供装置は、
前記取得した前記提供情報と、前記購買情報と、前記位置情報と、を基に、前記移動体通信端末装置の利用者に合わせたお勧め情報を作成し、該作成したお勧め情報を前記移動体通信端末装置に送信する手段を有することを特徴とする請求項１または２記載の情報提供システム。
【請求項８】
利用者が使用する移動体通信端末装置と、前記利用者が前記移動体通信端末装置を用いて購入する購買情報の精算処理を行う購買情報管理装置と、前記移動体通信端末装置に提供する提供情報を管理する情報提供装置と、を有して構成される情報提供システムにおいて行う情報提供方法であって、
前記情報提供装置が管理する提供情報には、該提供情報に関係する位置情報と、購買情報と、が含まれており、
前記移動体通信端末装置が、前記購買情報管理装置と近距離無線通信を行い、前記利用者が購入する購買情報の精算処理を行い、該精算処理が完了した前記購買情報を、前記利用者を識別するための利用者識別情報と共に、前記移動体通信端末装置の具備する格納部に格納する購買情報格納工程と、
前記購買情報管理装置が、前記移動体通信端末装置と近距離無線通信を行い、前記精算処理を行った際の前記購買情報と、前記利用者識別情報と、を前記情報提供装置に送信する購買情報送信工程と、
前記情報提供装置が、前記購買情報管理装置から送信された前記購買情報を、前記利用者識別情報に関連づけて前記情報提供装置の具備する格納部に格納する購買情報格納工程と、
前記移動体通信端末装置が、前記提供情報の取得要求を、前記移動体通信端末装置の位置情報と、前記利用者識別情報と、共に、前記情報提供装置に送信する提供情報取得要求工程と、
前記情報提供装置が、前記移動体通信端末装置から前記提供情報の取得要求を受信した際に、該取得要求と共に受信した前記利用者識別情報を基に、前記情報提供装置の具備する格納部に格納されている前記購買情報を取得し、該取得した前記購買情報と、前記取得要求と共に受信した前記位置情報と、を基に、前記情報提供装置の具備する格納部を検索し、前記購買情報と、前記位置情報と、に関係する前記提供情報を取得し、該取得した前記提供情報を、前記移動体通信端末装置に送信する情報提供工程と、
前記移動体通信端末装置が、前記情報提供装置から受信した前記提供情報を前記移動体通信端末装置の具備する表示部上に表示する表示工程と、
を行うことを特徴とする情報提供方法。
【請求項９】
利用者が使用する移動体通信端末装置と、前記利用者が前記移動体通信端末装置を用いて購入する購買情報の精算処理を行う購買情報管理装置と、前記移動体通信端末装置に提供する提供情報を管理する情報提供装置と、を有して構成される情報提供システムにおいて行う情報提供方法であって、
前記情報提供装置が管理する提供情報には、該提供情報に関係する位置情報と、購買情報と、が含まれており、
前記移動体通信端末装置が、前記購買情報管理装置と近距離無線通信を行い、前記利用者が購入する購買情報の精算処理を行い、該精算処理が完了した購買情報を、前記移動体通信端末装置の具備する格納部に格納する購買情報格納工程と、
前記移動体通信端末装置が、前記提供情報の取得要求を、前記移動体通信端末装置の位置情報と、前記購買情報と、共に、前記情報提供装置に送信する提供情報取得要求工程と、
前記情報提供装置が、前記移動体通信端末装置から前記提供情報の取得要求を受信した際に、該取得要求と共に受信した前記購買情報と、前記位置情報と、を基に、前記情報提供装置の具備する格納部を検索し、前記購買情報と、前記位置情報と、に関係する前記提供情報を取得し、該取得した前記提供情報を、前記移動体通信端末装置に送信する情報提供工程と、
前記移動体通信端末装置が、前記情報提供装置から受信した前記提供情報を前記移動体通信端末装置の具備する表示部上に表示する表示工程と、
を行うことを特徴とする情報提供方法。
【請求項１０】
前記提供情報取得要求工程は、
前記移動体通信端末装置が、前記購買情報管理装置と近距離無線通信を行い、前記利用者が購入する購買情報の精算処理を行った際に、前記移動体通信端末装置が自動的に行うことを特徴とする請求項８または９記載の情報提供方法。
【請求項１１】
前記移動体通信端末装置は、ＧＰＳ機能を用いて前記位置情報を取得することを特徴とする請求項８または９記載の情報提供方法。
【請求項１２】
前記購買情報格納工程は、
前記購買情報管理装置から送信された前記購買情報と、前記利用者識別情報と、を前記情報提供装置の具備する格納部に格納し、前記購買情報の履歴を管理し、
前記情報提供工程は、
前記情報提供装置が、前記移動体通信端末装置から前記提供情報の取得要求を受信した際に、該取得要求と共に受信した前記利用者識別情報を基に、前記情報提供装置の具備する格納部に格納されている前記購買情報の履歴を取得し、該取得した前記購買情報の履歴を基に、前記移動体通信端末装置の利用者に最適な前記購買情報を絞り込み、該絞り込んだ前記購買情報と、前記取得要求と共に受信した前記位置情報と、を基に、前記情報提供装置の具備する格納部を検索し、前記購買情報と、前記位置情報と、に関係する前記提供情報を取得し、該取得した前記提供情報を前記移動体通信端末装置に送信することを特徴とする請求項８記載の情報提供方法。
【請求項１３】
前記購買情報格納工程は、
前記購買情報を、前記移動体通信端末装置の具備する格納部に格納し、前記購買情報の履歴を管理し、
前記提供情報取得要求工程は、
前記提供情報の取得要求を行う際に、前記移動体通信端末装置が、前記移動体通信端末装置の具備する格納部に格納した前記購買情報の履歴を基に、前記移動体通信端末装置の利用者に最適な前記購買情報を絞り込み、該絞り込んだ前記購買情報と、前記位置情報と、共に、前記提供情報の取得要求を前記情報提供装置に送信することを特徴とする請求項９記載の情報提供方法。
【請求項１４】
前記情報提供装置が、前記取得した前記提供情報と、前記購買情報と、前記位置情報と、を基に、前記移動体通信端末装置の利用者に合わせたお勧め情報を作成し、該作成したお勧め情報を前記移動体通信端末装置に送信する工程を行うことを特徴とする請求項８または９記載の情報提供方法。
【請求項１５】
利用者が使用する移動体通信端末装置と、前記利用者が前記移動体通信端末装置を用いて購入する購買情報の精算処理を行う購買情報管理装置と、接続し、前記利用者に最適な情報を前記移動体通信端末装置に提供する情報提供装置であって、
前記情報提供装置は、
前記提供情報を格納管理する提供情報格納手段を有し、該提供情報には、該提供情報に関係する位置情報と、購買情報と、が含まれており、
前記情報提供装置は、
前記購買情報管理装置が、前記移動体通信端末装置と近距離無線通信を行い、前記精算処理を行った際の前記購買情報と、前記利用者を識別するための利用者識別情報と、を前記購買情報管理装置から受信した際に、該受信した前記購買情報を、前記利用者識別情報に関連づけて格納する購買情報格納手段と、
前記移動体通信端末装置から、前記提供情報の取得要求を、前記位置情報と前記利用者識別情報と共に受信した際に、前記取得要求と共に受信した前記利用者識別情報を基に、前記購買情報格納手段に格納されている前記購買情報を取得し、該取得した前記購買情報と、前記位置情報と、を基に前記提供情報格納手段を検索し、前記購買情報と、前記位置情報と、に関係する前記提供情報を取得し、該取得した前記提供情報を、前記移動体通信端末装置に送信する情報提供手段と、
を有することを特徴とする情報提供装置。
【請求項１６】
前記情報提供手段は、
前記移動体通信端末装置から前記提供情報の取得要求を受信した際に、該取得要求と共に受信した前記購買情報と、前記位置情報と、を基に、前記提供情報格納手段を検索し、前記購買情報と、前記位置情報と、に関係する前記提供情報を取得し、該取得した前記提供情報を、前記移動体通信端末装置に送信する手段を有することを特徴とする請求項１５記載の情報提供装置。
【請求項１７】
前記購買情報格納手段は、
前記購買情報管理装置から送信された前記購買情報と、前記利用者識別情報と、を格納し、前記購買情報の履歴を管理し、
前記情報提供手段は、
前記移動体通信端末装置から前記提供情報の取得要求を受信した際に、該取得要求と共に受信した前記利用者識別情報を基に、前記購買情報格納手段により格納した前記購買情報の履歴を取得し、該取得した前記購買情報の履歴を基に、前記移動体通信端末装置の利用者に最適な前記購買情報を絞り込み、該絞り込んだ前記購買情報と、前記取得要求と共に受信した前記位置情報と、を基に、前記提供情報格納手段を検索し、前記購買情報と、前記位置情報と、に関係する前記提供情報を取得し、該取得した前記提供情報を前記移動体通信端末装置に送信することを特徴とする請求項１５または１６記載の情報提供装置。
【請求項１８】
前記情報提供手段は、
前記取得した前記提供情報と、前記購買情報と、前記位置情報と、を基に、前記移動体通信端末装置の利用者に合わせたお勧め情報を作成し、該作成したお勧め情報を前記移動体通信端末装置に送信する手段を有することを特徴とする請求項１５から１７の何れか１項に記載の情報提供装置。
【発明の詳細な説明】
【技術分野】
【０００１】
本発明は、携帯電話、ＰＤＡ等の利用者の使用する移動体通信端末装置に対し、利用者に最適な情報を提供する情報提供システム、情報提供方法及び情報提供装置に関するものである。
【背景技術】
【０００２】
近年では、インターネットに接続可能な通信端末装置に対し、情報配信装置から任意の情報を配信し、利用者に対し任意の情報を提供する情報提供サービスがある。この情報提供サービスにおいては、人が徒歩で、あるいは車などで移動して移動先に到着した場合、その移動先の情報が容易に取得可能な情報提供サービスが所望されている。
【０００３】
このようなことから、本発明より先に出願された技術文献として、競技場等の施設の来場者に対し、携帯電話を用いて各種情報の配信サービスを提供できるようにした情報提供システムがある（例えば、特許文献１参照）。
【０００４】
上記特許文献１の情報提供システムは、来場者が所持する、携帯電話機及び非接触ＩＣタグと、施設の入場口付近に設置され、非接触ＩＣタグに記憶された識別情報を非接触で読み取る手段と、該手段で読み取った識別情報をサーバに送信する手段とを有する非接触ＩＣタグ読取装置と、来場者の電子メールアドレスと識別情報とが関連づけられて登録されている会員情報データベースと、来場者への配信情報が登録されている配信情報データベースと、非接触ＩＣタグ読取装置から受信した識別情報に基づいて、会員情報データベースで該識別情報に関連付けられて登録されている電子メールアドレス宛にイベント情報データベースに登録されている情報を配信する配信手段とを有するサーバと、からなる情報配信システムである。
【０００５】
また、ユーザによって携帯される情報携帯端末の現在位置をアクセスポイント、ネットワークを介して情報案内サーバで監視し、該情報携帯端末の現在位置に応じた地域情報および他のユーザの情報をユーザからの要求または情報案内サーバからの提示により情報携帯端末のユーザに提供し、ユーザの位置情報、好み情報等に応じて適切な情報を確実に提供しうるものがある（例えば、特許文献２参照）。
【特許文献１】特開２００４−９４４３１号公報
【特許文献２】特開平１１−５５７２６号公報
【発明の開示】
【発明が解決しようとする課題】
【０００６】
しかしながら、上記特許文献１における情報提供システムは、イベント情報データベースに登録されている情報を来場者の電子メールアドレス宛に配信するだけのシステムであり、来場者に最適な情報を配信するものについては何ら考慮されていない。
【０００７】
また、上記特許文献２は、情報携帯端末の現在の位置情報に応じた地域情報および他のユーザの情報を、ユーザからの要求または情報案内サーバからの提示により情報携帯端末のユーザに提供し、ユーザの位置情報、好み情報等に応じて適切な情報を確実に提供しうるものではあるが、ユーザが携帯電話を用いて購入した購買情報を基に、ユーザに最適な情報を提供することについては何ら考慮されたものではない。
【０００８】
本発明は上記事情に鑑みてなされたものであり、利用者が使用する移動体通信端末装置を用いて購入した購買情報と、移動体通信端末装置の位置情報と、を基に、利用者に最適な提供情報を提供する情報提供システム、情報提供方法及び情報提供装置を提供することを目的とするものである。
【課題を解決するための手段】
【０００９】
かかる目的を達成するために、本発明は以下の特徴を有することとする。
【００１０】
本発明にかかる情報提供システムは、利用者が使用する移動体通信端末装置と、利用者が移動体通信端末装置を用いて購入する購買情報の精算処理を行う購買情報管理装置と、移動体通信端末装置に提供する提供情報を管理する情報提供装置と、を有して構成される情報提供システムであって、移動体通信端末装置は、購買情報管理装置と近距離無線通信を行い、利用者が購入する購買情報の精算処理を行い、該精算処理が完了した購買情報を、利用者を識別するための利用者識別情報と共に、格納する購買情報格納手段と、提供情報の取得要求を、移動体通信端末装置の位置情報と、利用者識別情報と、共に、情報提供装置に送信する提供情報取得要求手段と、提供情報取要求手段により情報提供装置から取得する提供情報を表示する表示手段と、を有し、購買情報管理装置は、移動体通信端末装置と近距離無線通信を行い、精算処理を行った際の購買情報と、利用者識別情報と、を情報提供装置に送信する購買情報送手段を有し、情報提供装置は、提供情報を格納管理する提供情報格納手段を有し、該提供情報には、該提供情報に関係する位置情報と、購買情報と、が含まれており、情報提供装置は、購買情報管理装置から購買情報と、利用者識別情報と、を受信した際に、該受信した購買情報を、利用者識別情報に関連づけて格納する購買情報格納手段と、移動体通信端末装置から提供情報の取得要求を受信した際に、該取得要求と共に受信した利用者識別情報を基に、購買情報格納手段により格納した購買情報を取得し、該取得した購買情報と、取得要求と共に受信した位置情報と、を基に、提供情報格納手段を検索し、購買情報と、位置情報と、に関係する提供情報を取得し、該取得した提供情報を、移動体通信端末装置に送信する情報提供手段と、を有することを特徴とするものである。
【００１１】
また、本発明における情報提供システムは、利用者が使用する移動体通信端末装置と、利用者が移動体通信端末装置を用いて購入する購買情報の精算処理を行う購買情報管理装置と、移動体通信端末装置に提供する提供情報を管理する情報提供装置と、を有して構成される情報提供システムであって、移動体通信端末装置は、購買情報管理装置と近距離無線通信を行い、利用者が購入する購買情報の精算処理を行い、該精算処理が完了した購買情報を、格納する購買情報格納手段と、提供情報の取得要求を、移動体通信端末装置の位置情報と、購買情報と、共に、情報提供装置に送信する提供情報取得要求手段と、提供情報取要求手段により情報提供装置から取得する提供情報を表示する表示手段と、を有し、購買情報管理装置は、移動体通信端末装置と近距離無線通信を行い、購買情報の精算処理を行う精算手段を有し、情報提供装置は、提供情報を格納管理する提供情報格納手段を有し、該提供情報には、該提供情報に関係する位置情報と、購買情報と、が含まれており、情報提供装置は、移動体通信端末装置から提供情報の取得要求を受信した際に、該取得要求と共に受信した購買情報と、位置情報と、を基に、提供情報格納手段を検索し、購買情報と、位置情報と、に関係する提供情報を取得し、該取得した提供情報を、移動体通信端末装置に送信する情報提供手段を有することを特徴とするものである。
【００１２】
また、本発明における情報提供システムにおいて、提供情報取得要求手段は、移動体通信端末装置が、購買情報管理装置と近距離無線通信を行い、利用者が購入する購買情報の精算処理を行った際に、自動的に行われることを特徴とするものである。
【００１３】
また、本発明における情報提供システムにおいて、移動体通信端末装置は、ＧＰＳ機能を用いて位置情報を取得することを特徴とするものである。
【００１４】
また、本発明における情報提供システムにおいて、購買情報格納手段は、購買情報管理装置から送信された購買情報と、利用者識別情報と、を格納し、購買情報の履歴を管理し、情報提供手段は、移動体通信端末装置から提供情報の取得要求を受信した際に、該取得要求と共に受信した利用者識別情報を基に、購買情報格納手段により格納した購買情報の履歴を取得し、該取得した購買情報の履歴を基に、移動体通信端末装置の利用者に最適な購買情報を絞り込み、該絞り込んだ購買情報と、取得要求と共に受信した位置情報と、を基に、提供情報格納手段を検索し、購買情報と、位置情報と、に関係する提供情報を取得し、該取得した提供情報を移動体通信端末装置に送信することを特徴とするものである。
【００１５】
また、本発明における情報提供システムにおいて、購買情報格納手段は、購買情報を格納し、購買情報の履歴を管理し、提供情報取得要求手段は、提供情報の取得要求を行う際に、購買情報格納手段により格納した購買情報の履歴を基に、移動体通信端末装置の利用者に最適な購買情報を絞り込み、該絞り込んだ購買情報と、位置情報と、共に、提供情報の取得要求を情報提供装置に送信することを特徴とするものである。
【００１６】
また、本発明における情報提供システムにおいて、情報提供装置は、取得した提供情報と、購買情報と、位置情報と、を基に、移動体通信端末装置の利用者に合わせたお勧め情報を作成し、該作成したお勧め情報を移動体通信端末装置に送信する手段を有することを特徴とするものである。
【００１７】
また、本発明における情報提供方法は、利用者が使用する移動体通信端末装置と、利用者が移動体通信端末装置を用いて購入する購買情報の精算処理を行う購買情報管理装置と、移動体通信端末装置に提供する提供情報を管理する情報提供装置と、を有して構成される情報提供システムにおいて行う情報提供方法であって、情報提供装置が管理する提供情報には、該提供情報に関係する位置情報と、購買情報と、が含まれており、移動体通信端末装置が、購買情報管理装置と近距離無線通信を行い、利用者が購入する購買情報の精算処理を行い、該精算処理が完了した購買情報を、利用者を識別するための利用者識別情報と共に、移動体通信端末装置の具備する格納部に格納する購買情報格納工程と、購買情報管理装置が、移動体通信端末装置と近距離無線通信を行い、精算処理を行った際の購買情報と、利用者識別情報と、を情報提供装置に送信する購買情報送信工程と、情報提供装置が、購買情報管理装置から送信された購買情報を、利用者識別情報に関連づけて情報提供装置の具備する格納部に格納する購買情報格納工程と、移動体通信端末装置が、提供情報の取得要求を、移動体通信端末装置の位置情報と、利用者識別情報と、共に、情報提供装置に送信する提供情報取得要求工程と、情報提供装置が、移動体通信端末装置から提供情報の取得要求を受信した際に、該取得要求と共に受信した利用者識別情報を基に、情報提供装置の具備する格納部に格納されている購買情報を取得し、該取得した購買情報と、取得要求と共に受信した位置情報と、を基に、情報提供装置の具備する格納部を検索し、購買情報と、位置情報と、に関係する提供情報を取得し、該取得した提供情報を、移動体通信端末装置に送信する情報提供工程と、移動体通信端末装置が、情報提供装置から受信した提供情報を移動体通信端末装置の具備する表示部上に表示する表示工程と、を行うことを特徴とするものである。
【００１８】
また、本発明における情報提供方法は、利用者が使用する移動体通信端末装置と、利用者が移動体通信端末装置を用いて購入する購買情報の精算処理を行う購買情報管理装置と、移動体通信端末装置に提供する提供情報を管理する情報提供装置と、を有して構成される情報提供システムにおいて行う情報提供方法であって、情報提供装置が管理する提供情報には、該提供情報に関係する位置情報と、購買情報と、が含まれており、移動体通信端末装置が、購買情報管理装置と近距離無線通信を行い、利用者が購入する購買情報の精算処理を行い、該精算処理が完了した購買情報を、移動体通信端末装置の具備する格納部に格納する購買情報格納工程と、移動体通信端末装置が、提供情報の取得要求を、移動体通信端末装置の位置情報と、購買情報と、共に、情報提供装置に送信する提供情報取得要求工程と、情報提供装置が、移動体通信端末装置から提供情報の取得要求を受信した際に、該取得要求と共に受信した購買情報と、位置情報と、を基に、情報提供装置の具備する格納部を検索し、購買情報と、位置情報と、に関係する提供情報を取得し、該取得した提供情報を、移動体通信端末装置に送信する情報提供工程と、移動体通信端末装置が、情報提供装置から受信した提供情報を移動体通信端末装置の具備する表示部上に表示する表示工程と、を行うことを特徴とするものである。
【００１９】
また、本発明における情報提供方法において、提供情報取得要求工程は、移動体通信端末装置が、購買情報管理装置と近距離無線通信を行い、利用者が購入する購買情報の精算処理を行った際に、移動体通信端末装置が自動的に行うことを特徴とするものである。
【００２０】
また、本発明における情報提供方法において、移動体通信端末装置は、ＧＰＳ機能を用いて位置情報を取得することを特徴とするものである。
【００２１】
また、本発明における情報提供方法において、購買情報格納工程は、購買情報管理装置から送信された購買情報と、利用者識別情報と、を情報提供装置の具備する格納部に格納し、購買情報の履歴を管理し、情報提供工程は、情報提供装置が、移動体通信端末装置から提供情報の取得要求を受信した際に、該取得要求と共に受信した利用者識別情報を基に、情報提供装置の具備する格納部に格納されている購買情報の履歴を取得し、該取得した購買情報の履歴を基に、移動体通信端末装置の利用者に最適な購買情報を絞り込み、該絞り込んだ購買情報と、取得要求と共に受信した位置情報と、を基に、情報提供装置の具備する格納部を検索し、購買情報と、位置情報と、に関係する提供情報を取得し、該取得した提供情報を移動体通信端末装置に送信することを特徴とするものである。
【００２２】
また、本発明における情報提供方法において、購買情報格納工程は、購買情報を、移動体通信端末装置の具備する格納部に格納し、購買情報の履歴を管理し、提供情報取得要求工程は、提供情報の取得要求を行う際に、移動体通信端末装置が、移動体通信端末装置の具備する格納部に格納した購買情報の履歴を基に、移動体通信端末装置の利用者に最適な購買情報を絞り込み、該絞り込んだ購買情報と、位置情報と、共に、提供情報の取得要求を情報提供装置に送信することを特徴とするものである。
【００２３】
また、本発明における情報提供方法は、情報提供装置が、取得した提供情報と、購買情報と、位置情報と、を基に、移動体通信端末装置の利用者に合わせたお勧め情報を作成し、該作成したお勧め情報を移動体通信端末装置に送信する工程を行うことを特徴とするものである。
【００２４】
また、本発明における情報提供装置は、利用者が使用する移動体通信端末装置と、利用者が移動体通信端末装置を用いて購入する購買情報の精算処理を行う購買情報管理装置と、接続し、利用者に最適な情報を移動体通信端末装置に提供する情報提供装置であって、情報提供装置は、提供情報を格納管理する提供情報格納手段を有し、該提供情報には、該提供情報に関係する位置情報と、購買情報と、が含まれており、情報提供装置は、購買情報管理装置が、移動体通信端末装置と近距離無線通信を行い、精算処理を行った際の購買情報と、利用者を識別するための利用者識別情報と、を購買情報管理装置から受信した際に、該受信した購買情報を、利用者識別情報に関連づけて格納する購買情報格納手段と、移動体通信端末装置から、提供情報の取得要求を、位置情報と利用者識別情報と共に受信した際に、取得要求と共に受信した利用者識別情報を基に、購買情報格納手段に格納されている購買情報を取得し、該取得した購買情報と、位置情報と、を基に提供情報格納手段を検索し、購買情報と、位置情報と、に関係する提供情報を取得し、該取得した提供情報を、移動体通信端末装置に送信する情報提供手段と、を有することを特徴とするものである。
【００２５】
また、本発明にかかる情報提供装置において、情報提供手段は、移動体通信端末装置から提供情報の取得要求を受信した際に、該取得要求と共に受信した購買情報と、位置情報と、を基に、提供情報格納手段を検索し、購買情報と、位置情報と、に関係する提供情報を取得し、該取得した提供情報を、移動体通信端末装置に送信する手段を有することを特徴とするものである。
【００２６】
また、本発明にかかる情報提供装置において、購買情報格納手段は、購買情報管理装置から送信された購買情報と、利用者識別情報と、を格納し、購買情報の履歴を管理し、情報提供手段は、移動体通信端末装置から提供情報の取得要求を受信した際に、該取得要求と共に受信した利用者識別情報を基に、購買情報格納手段により格納した購買情報の履歴を取得し、該取得した購買情報の履歴を基に、移動体通信端末装置の利用者に最適な購買情報を絞り込み、該絞り込んだ購買情報と、取得要求と共に受信した位置情報と、を基に、提供情報格納手段を検索し、購買情報と、位置情報と、に関係する提供情報を取得し、該取得した提供情報を移動体通信端末装置に送信することを特徴とするものである。
【００２７】
また、本発明にかかる情報提供装置において、情報提供手段は、取得した提供情報と、購買情報と、位置情報と、を基に、移動体通信端末装置の利用者に合わせたお勧め情報を作成し、該作成したお勧め情報を移動体通信端末装置に送信する手段を有することを特徴とするものである。
【発明の効果】
【００２８】
本発明にかかる情報提供システム、情報提供方法及び情報提供装置によれば、情報提供装置は、提供情報を格納管理し、該提供情報には、該提供情報に関係する位置情報と、購買情報と、が含まれており、情報提供装置は、移動体通信端末装置から提供情報の取得要求を受信した際に、購買情報と、位置情報と、に関係する提供情報を情報提供装置の具備する格納部から取得し、該取得した提供情報を、移動体通信端末装置に送信することで、利用者に最適な提供情報を提供することが可能となる。
【発明を実施するための最良の形態】
【００２９】
まず、図１を参照しながら、本実施形態における情報配信システムについて説明する。
【００３０】
本実施形態における情報配信システムは、利用者が使用する移動体通信端末装置（１０）と、利用者が移動体通信端末装置（１０）を用いて購入する購買情報の精算処理を行う購買情報管理装置（２０）と、移動体通信端末装置（１０）に提供する提供情報を管理する情報提供装置（３０）と、がネットワーク（１００）を介して接続されて構成される情報提供システムである。なお、情報提供装置（３０）が管理する提供情報には、該提供情報に関係する位置情報と、購買情報と、が含まれている。
【００３１】
上記構成からなる情報提供システムは、移動体通信端末装置（１０）が、購買情報管理装置（２０）と近距離無線通信を行い、利用者が購入する購買情報の精算処理を行い、該精算処理が完了した購買情報を、利用者を識別するための利用者識別情報と共に、移動体通信端末装置（１０）の具備する格納部に格納することになる。また、購買情報管理装置（２０）は、移動体通信端末装置（１０）と近距離無線通信を行い、精算処理を行った際の購買情報と、利用者識別情報と、を情報提供装置（３０）に送信することになる。そして、情報提供装置（３０）は、購買情報管理装置（２０）から送信された購買情報を、利用者識別情報に関連づけて情報提供装置（３０）の具備する格納部に格納することになる。そして、移動体通信端末装置（１０）は、提供情報の取得要求を、移動体通信端末装置（１０）の位置情報と、利用者識別情報と、共に、情報提供装置（３０）に送信し、情報提供装置（３０）が、移動体通信端末装置（１０）から提供情報の取得要求を受信した際に、該取得要求と共に受信した利用者識別情報を基に、情報提供装置（３０）の具備する格納部に格納されている購買情報を取得し、情報提供装置（３０）は、該取得した購買情報と、取得要求と共に受信した位置情報と、を基に、情報提供装置（３０）の具備する格納部を検索し、購買情報と、位置情報と、に関係する提供情報を取得し、該取得した提供情報を、移動体通信端末装置（１０）に送信することになる。これにより、利用者は、移動体通信端末装置（１０）の現在の位置情報と、利用者が過去に購入した購買情報と、に関連する利用者に最適な提供情報を、情報提供装置（３０）から取得することが可能となり、利用者は、情報提供装置（３０）から取得した利用者に最適な提供情報を、移動体通信端末装置（１０）の具備する表示部上で表示して閲覧することになる。以下、添付図面を参照しながら、本実施形態における情報提供システムについて詳細に説明する。
【００３２】
（第１の実施形態）
まず、図１を参照しながら、本実施形態における情報提供システムのシステム構成について説明する。
【００３３】
本実施形態における情報提供システムは、移動体通信端末装置（１０）と、購買情報管理装置（２０）と、情報提供装置（３０）と、がネットワーク（１００）を介して接続されて構成される。なお、移動体通信端末装置（１０）と、購買情報管理装置（２０）と、は、近距離無線通信にて情報処理を行うことになる。近距離無線通信としては、ブルートースや、非接触ＩＣカード、赤外線通信などが挙げられる。なお、本実施形態における情報提供システムは、移動体通信端末装置（１０）と、購買情報管理装置（２０）と、情報提供装置（３０）と、の接続は、特に限定せず、有線、無線を問わず、各装置（１０）、（２０）、（３０）、間において情報が送受信可能であればあらゆる通信形態を適用することが可能である。
【００３４】
＜移動体通信端末装置１０＞
移動体通信端末装置（１０）は、携帯電話、ＰＤＡ等の移動体となる通信端末装置であり、情報提供装置（３０）が提供する情報を受信することになる。また、移動体通信端末装置（１０）は、移動体通信端末装置（１０）の現在の位置情報を取得するための機能と、外部の機器と近距離無線通信を行う機能と、を有して構成されている。
【００３５】
＜購買情報管理装置２０＞
購買情報管理装置（２０）は、店舗などに設置されるＰＯＳ端末装置等の情報処理装置である。購買情報管理装置（２０）は、移動体通信端末装置（１０）と近距離無線通信処理を行い、利用者が購入する購買情報の精算処理を行い、該精算処理が完了した購買情報を管理することになる。
【００３６】
＜情報提供装置３０＞
情報提供装置（３０）は、移動体通信端末装置（１０）に情報を提供する提供情報を管理する情報処理装置である。なお、情報提供装置（３０）が管理する提供情報には、その提供情報に関係する位置情報、購買情報等が含まれて構成されることになる。
【００３７】
次に、図２を参照しながら、本実施形態における情報提供システムにおける一連の処理動作について説明する。
【００３８】
まず、情報提供装置（３０）は、位置情報と、購買情報と、が含まれる提供情報を情報提供装置（３０）の具備する格納部にて格納管理することになる（ステップＡ１）。なお、情報提供装置（３０）の具備する格納部にて管理する提供情報は、特に限定するものではなく、利用者に最適な様々な提供情報が格納されることになる。
【００３９】
次に、利用者は、移動体通信端末装置（１０）を用いて、情報提供装置（３０）にアクセスし、利用者を識別するための利用者識別情報を情報提供装置（３０）に登録することになる（ステップＡ２）。情報提供装置（３０）は、移動体通信端末装置（１０）から登録された利用者識別情報の登録処理が完了した際に、アプリケーションプログラムを、移動体通信端末装置（１０）に送信することになる（ステップＡ３）。なお、上記のアプリケーションプログラムは、情報提供装置（３０）から配信される提供情報を、移動体通信端末装置（１０）の具備する表示部上で閲覧表示する際に使用するためのプログラムである。移動体通信端末装置（１０）は、情報提供装置（３０）から受信したアプリケーションプログラムを移動体通信端末装置（１０）の具備する格納部に格納することになる。
【００４０】
次に、利用者は、買い物精算時に、移動体通信端末装置（１０）を用いて、近距離無線通信にて精算処理を行うことになり、移動体通信端末装置（１０）は、利用者識別情報を近距離無線通信にて購買情報管理装置（２０）に送信し、移動体通信端末装置（１０）と購買情報管理装置（２０）との装置間の信号処理で、利用者の購入する購買情報の精算処理を行い（ステップＡ４）、移動体通信端末装置（１０）は、その近距離無線通信にて精算処理を行った購買情報を、利用者識別情報と共に、移動体通信端末装置（１０）の具備する格納部に格納することになる（ステップＡ５）。また、購買情報管理装置（２０）は、移動体通信端末装置（１０）との近距離無線通信にて精算処理を行った購買情報と、その精算処理時に移動体通信端末装置（１０）から取得した利用者識別情報と、を、情報提供装置（３０）に送信することになる（ステップＡ５）。情報提供装置（３０）は、購買情報管理装置（２０）から購買情報と、利用者識別情報と、を受信した際に、該受信した購買情報を、利用者識別情報に関連づけて情報提供装置（３０）の具備する格納部に格納することになる（ステップＡ６）。これにより、情報提供装置（３０）は、利用者識別情報に関連づけて利用者の購買情報の履歴を管理することが可能となる。
【００４１】
次に、利用者は、移動体通信端末装置（１０）の具備する操作部を用いて、移動体通信端末装置（１０）の具備する格納部に格納されているアプリケーションプログラムを起動し、情報提供装置（３０）が管理する提供情報の取得要求を、移動体通信端末装置（１０）の位置情報と、利用者識別情報と、共に情報提供装置（３０）に送信することになる（ステップＡ７）。なお、移動体通信端末装置（１０）の位置情報は、移動体通信端末装置（１０）がＧＰＳ機能を用いて、現在の移動体通信端末装置（１０）の位置情報を取得したり、移動体通信端末装置（１０）が基地局との位置情報の更新処理により、現在の移動体通信端末装置（１０）の位置情報を取得したりすることになる。
【００４２】
情報提供装置（３０）は、移動体通信端末装置（１０）から提供情報の取得要求を受信すると、その取得要求と共に受信した利用者識別情報を基に、情報提供装置（３０）の具備する格納部を検索し、利用者識別情報に関連付けられた購買情報の履歴を取得し、情報提供装置（３０）は、その取得した購買情報の履歴を基に、利用者に最適な購買情報を取得する。例えば、購買情報の履歴を基に、利用者の購入頻度の高い購買情報に絞り込んだり、最近の購買情報の履歴の中から利用者の購入頻度の高い購買情報に絞り込んだりすることも可能である。また、移動体通信端末装置から受信した位置情報を基に、購買情報の履歴の中から位置情報に関連する購買情報のみに絞り込み、利用者に最適な購買情報を取得したりすることも可能である。このように、利用者に関する情報を基に、購買情報の履歴の中から利用者に最適な購買情報に絞り込むことが可能となる。
【００４３】
次に、情報提供装置（３０）は、上記処理により取得した利用者に最適な購買情報と、取得要求と共に受信した位置情報と、を基に、情報提供装置（３０）の具備する格納部を検索し、購買情報と、位置情報と、に関係する提供情報を取得することになる（ステップＡ８）。これにより、情報提供装置（３０）は、利用者に最適な提供情報を、情報提供装置（３０）の具備する格納部から取得することが可能となる。そして、情報提供装置（３０）は、上記検索処理にて取得した提供情報を、移動体通信端末装置（１０）に送信することになる（ステップＡ９）。これにより、利用者は、移動体通信端末装置（１０）の現在の位置情報と、利用者が過去に購入した購買情報と、に関連する利用者に最適な提供情報を、情報提供装置（３０）から取得することになり、移動体通信端末装置（３０）は、移動体通信端末装置（３０）の具備する格納部に格納されているアプリケーションプログラムを起動し、情報提供装置（３０）から取得した利用者に最適な提供情報を、移動体通信端末装置（１０）の具備する表示部上に表示することになる（ステップＡ１０）。これにより、利用者は、移動体通信端末装置（３０）の具備する表示部上で利用者に最適な提供情報を閲覧することが可能となる。
【００４４】
なお、情報提供装置（３０）は、ステップＡ８において、情報提供装置（３０）の具備する格納部から取得した提供情報と、移動体通信端末装置（３０）から受信した位置情報と、情報提供装置（３０）の具備する格納部から取得した購買情報と、を基に、利用者に最適なお勧め情報を作成し、該作成したお勧め情報を移動体通信端末装置（３０）に送信することも可能である。
【００４５】
また、移動体通信端末装置（１０）は、ステップＡ４において、購買情報管理装置（２０）との間で近距離無線通信にて購買情報の精算処理を行い、購買情報の精算処理が完了した際に（ステップＡ４）、移動体通信端末装置（３０）が、移動体通信端末装置（１０）の具備する格納部に格納されているアプリケーションプログラムを起動し、ステップＡ７における提供情報の取得要求を情報提供装置（３０）に同時に送信することも可能である。
【００４６】
（第２の実施形態）
次に、第２の実施形態について説明する。
第２の実施形態における情報提供システムは、第１の実施形態における情報提供システムのステップＡ７における提供情報の取得要求の際に、移動体通信端末装置（１０）の具備する格納部に格納している購買情報を、情報提供装置（３０）に送信し、情報提供装置（３０）が、移動体通信端末装置（１０）から受信した購買情報を基に、情報提供装置（３０）の具備する格納部から提供情報を取得することを特徴とするものである。以下、図３を参照しながら、第２の実施形態における情報提供システムにおける処理動作について説明する。なお、第２の実施形態における情報提供システムのシステム構成は、第１の実施形態と同様のシステム構成にて構成することになる。また、第２の実施形態の情報提供システムにおけるステップＢ１〜ステップＢ６までの処理動作は、第１の実施形態の情報提供システムにおけるステップＡ１〜ステップＡ６までの処理動作と同様であるため説明を省略する。
【００４７】
まず、利用者は、移動体通信端末装置（１０）の具備する操作部を用いて、移動体通信端末装置（１０）の具備する格納部に格納されているアプリケーションプログラムを起動し、移動体通信端末装置（１０）の位置情報と、移動体通信端末装置（１０）の具備する格納部に格納されている購買情報と、共に、情報提供装置（３０）が管理する提供情報の取得要求を、情報提供装置（３０）に送信することになる（ステップＢ７）。この時、移動体通信端末装置（１０）は、移動体通信端末装置（１０）の具備する格納部に格納されている購買情報の履歴を基に、利用者に最適な購買情報を取得することになる。例えば、移動体通信端末装置（１０）は、移動体通信端末装置（１０）の具備する格納部に格納されている購買情報の履歴を基に、利用者の購入頻度の高い購買情報に絞り込んだり、最近の購買情報の履歴の中から利用者の購入頻度の高い購買情報に絞り込んだりすることも可能である。また、移動体通信端末装置（１０）の位置情報を基に、購買情報の履歴の中から位置情報に関連する購買情報のみに絞り込み、利用者に最適な購買情報を取得したりすることも可能である。このように、利用者に関する情報を基に、購買情報の履歴の中から利用者に最適な購買情報に絞り込むことも可能である。
【００４８】
情報提供装置（３０）は、移動体通信端末装置（１０）から提供情報の取得要求を受信すると、その取得要求と共に受信した購買情報と、位置情報と、を基に、情報提供装置（３０）の具備する格納部を検索し、購買情報と、位置情報と、に関係する提供情報を取得することになる（ステップＢ８）。これにより、情報提供装置（３０）は、利用者に最適な提供情報を、情報提供装置（３０）の具備する格納部から取得することが可能となる。そして、情報提供装置（３０）は、上記検索処理にて取得した提供情報を、移動体通信端末装置（１０）に送信することになる（ステップＢ９）。これにより、利用者は、移動体通信端末装置（１０）の現在の位置情報と、利用者が過去に購入した購買情報と、に関連する利用者に最適な提供情報を、情報提供装置（３０）から取得することになり、移動体通信端末装置（３０）は、移動体通信端末装置（３０）の具備する格納部に格納されているアプリケーションプログラムを起動し、情報提供装置（３０）から取得した利用者に最適な提供情報を、移動体通信端末装置（１０）の具備する表示部上に表示することになる（ステップＢ１０）。これにより、利用者は、移動体通信端末装置（３０）の具備する表示部上で利用者に最適な提供情報を閲覧することが可能となる。
【００４９】
このように、第２の実施形態における情報提供システムは、移動体通信端末装置（１０）の具備する格納部に格納されている購買情報と、移動体通信端末装置（１０）の位置情報と、を基に、情報提供装置（３０）から利用者に最適な提供情報を取得することが可能となり、利用者が任意にアプリケーションプログラムを起動して情報提供装置（３０）から利用者に最適な提供情報を取得することが可能となる。
【００５０】
なお、情報提供装置（３０）は、ステップＢ８において、情報提供装置（３０）の具備する格納部から取得した提供情報と、移動体通信端末装置（３０）から受信した位置情報と、購買情報と、を基に、利用者に最適なお勧め情報を作成し、該作成したお勧め情報を移動体通信端末装置（３０）に送信することも可能である。
【００５１】
また、移動体通信端末装置（１０）は、ステップＢ４において、購買情報管理装置（２０）との間で近距離無線通信にて購買情報の精算処理を行い、購買情報の精算処理が完了した際に（ステップＢ４）、移動体通信端末装置（３０）が、移動体通信端末装置（１０）の具備する格納部に格納されているアプリケーションプログラムを起動し、ステップＢ７における提供情報の取得要求を情報提供装置（３０）に同時に送信することも可能である。
【００５２】
（第３の実施形態）
次に、第３の実施形態について説明する。
第３の実施形態における情報提供システムは、ＧＰＳ機能と、非接触ＩＣカードと、を搭載した移動体通信端末装置（１０）に対し、情報提供装置（３０）がスケジュールプラン情報を配信する情報提供システムである。なお、スケジュールプラン情報とは、利用者が飛行機に搭乗するまでの時間の範囲内で、利用者が空港施設内で最適に過ごせるためのプランを利用者に提供するための情報である。
【００５３】
まず、図４を参照しながら、第３の実施形態における情報提供システムのシステム構成について説明する。
【００５４】
第３の実施形態における情報提供システムは、移動体通信端末装置（１０）と、購買情報管理装置（２０）と、情報提供装置（３０）と、情報管理装置（４０）と、施設運営管理装置（５０）と、を有して構成される。なお、本実施形態における情報提供システムは、移動体通信端末装置（１０）と、購買情報管理装置（２０）と、情報提供装置（３０）と、情報管理装置（４０）と、施設運営管理装置（５０）と、の接続は、特に限定せず、有線、無線を問わず、各装置（１０）、（２０）、（３０）、（４０）、（５０）、間において情報が送受信可能であればあらゆる通信形態を適用することが可能である。
【００５５】
＜移動体通信端末装置１０＞
移動体通信端末装置（１０）は、情報提供装置（３０）から情報を取得する通信端末装置であり、ＧＰＳ機能と、非接触ＩＣカードと、を搭載して構成されている。また、移動体通信端末装置（１０）は、情報提供装置（３０）から配信されるスケジュールプラン情報を移動体通信端末装置（１０）の具備する表示部上で自動表示するためのアプリケーションプログラムを搭載することになる。
【００５６】
＜購買情報管理装置２０＞
購買情報管理装置（２０）は、移動体通信端末装置（１０）に搭載された非接触ＩＣカードと、近距離無線通信を行い、利用者が購入する購買情報の精算処理を行うＰＯＳ装置等の情報処理装置である。
【００５７】
＜情報提供装置３０＞
情報提供装置（３０）は、移動体通信端末装置（１０）に情報を提供する提供情報を管理する情報処理装置であり、情報管理装置（４０）と、施設運営管理装置（５０）と、から情報を取得し、該取得した情報を移動体通信端末装置（１０）に対して送信することになる。なお、情報提供装置（３０）は、移動体通信端末装置（１０）に搭載された非接触ＩＣカードの利用者情報を管理する図５に示す利用者データベース（３１）を有して構成されることになる。
【００５８】
利用者データベース（３１）は、図５に示すように、利用者の氏名と、住所と、年齢と、性別と、メールアドレスと、が利用者識別ＩＤに関連付けられて格納されている。
【００５９】
＜情報管理装置４０＞
情報管理装置（４０）は、移動体通信端末装置（１０）に搭載された非接触ＩＣカードと、購買情報管理装置（２０）と、の装置間で近距離無線通信により精算処理を行った利用者の購買情報を管理する情報処理装置である。なお、情報管理装置（４０）は、移動体通信端末装置（１０）に搭載された非接触ＩＣカードを利用して購入した購買情報を管理する図６に示す購買情報データベース（４１）を有して構成されている。
【００６０】
購買情報データベース（４１）は、図６に示すように、利用者が購入した商品名と、購入場所と、位置情報と、購入時間と、利用者識別ＩＤと、が購入識別ＩＤに関連付けられて格納されている。
【００６１】
＜施設運営管理装置５０＞
施設運営管理装置（５０）は、施設内で利用者に提供可能な提供情報を管理する情報処理装置である。施設運営管理装置（５０）が管理する提供情報には、その提供情報に関係する位置情報、購買情報等が含まれて構成されることになる。なお、本実施形態における施設運営管理装置（５０）は、図７に示すフライトデータベース（５１）と、図８に示す空港内施設データベース（５２）と、を有して構成されている。
【００６２】
フライトデータベース（５１）は、図７に示すように、フライト便と、到着時刻と、出発時刻と、出発ゲートと、到着地情報と、出発地情報と、がフライトＩＤに関連付けられて構成されている。
【００６３】
空港内施設データベース（５２）は、図８に示すように、空港内に設置された施設名（店舗や、チケットセンター等の施設名）と、設置場所と、位置情報と、コンテンツＩＤと、が施設識別ＩＤに関連づけられて構成されている。
【００６４】
次に、図９を参照しながら、第３の実施形態における情報提供システムにおける処理動作について説明する。
【００６５】
まず、施設運営管理装置（５０）は、図７に示すフライトデータベース（５１）と、図８に示す空港内施設データベース（５２）と、を管理し、施設内の運営管理情報を含む提供情報を管理することになる（ステップＣ１）。
【００６６】
次に、利用者は、移動体通信端末装置（１０）を用いて、情報提供装置（３０）にアクセスし、移動体通信端末装置（１０）に搭載されている非接触ＩＣカード内に格納されている利用者情報（利用者の氏名と、住所と、年齢と、性別と、メールアドレスと、が利用者識別ＩＤに関連付けられた情報）を情報提供装置（３０）に登録することになる（ステップＣ２）。情報提供装置（３０）は、移動体通信端末装置（１０）から登録された利用者情報を、図５に示す利用者データベース（３１）内に格納することになる（ステップＣ３）。
【００６７】
情報提供装置（３０）は、利用者データベース（３１）内への利用者情報の登録が完了した際に、アプリケーションプログラムを、移動体通信端末装置（１０）に送信することになる（ステップＣ４）。なお、上記のアプリケーションプログラムは、情報提供装置（３０）から配信される提供情報を、移動体通信端末装置（１０）の具備する表示部上で閲覧表示する際に使用するためのプログラムである。移動体通信端末装置（１０）は、情報提供装置（３０）から受信したアプリケーションプログラムを移動体通信端末装置（１０）の具備する格納部に格納することになる。
【００６８】
次に、利用者は、ＧＰＳ機能と、非接触ＩＣカードと、を搭載した移動体通信端末装置（１０）を使用し、店舗にて買い物をすることになる。この時、利用者は、移動体通信端末装置（１０）に搭載された非接触ＩＣカードを用いて、店舗に設置された購買情報管理装置（２０）との間で近距離無線通信処理を行い、利用者が購入した購入品の精算処理を行うことになる（ステップＣ５）。この時、移動体通信端末装置（１０）は、非接触ＩＣカードに格納されている利用者情報（利用者の氏名と、住所と、年齢と、性別と、メールアドレスと、が利用者識別ＩＤに関連付けられた情報）と、移動体通信端末装置（１０）の位置情報と、を、購買情報管理装置（２０）に送信することになる。そして、移動体通信端末装置（１０）は、購買情報管理装置（２０）との近距離無線通信処理により精算した購買情報を、利用者情報と共に、移動体通信端末装置（１０）に搭載された非接触ＩＣカード内に格納して管理することになる（ステップＣ６）。
【００６９】
また、購買情報管理装置（２０）は、移動体通信端末装置（１０）に搭載された非接触ＩＣカードとの近距離無線通信処理により、利用者が購入した購入商品名と、購入場所と、移動体通信端末装置（１０）の位置情報と、購入時間と、購入者名（利用者識別ＩＤ）を含む購買情報を生成し、該生成した購買情報と、利用者情報と、を情報管理装置（４０）に送信することになる（ステップＣ７）。
【００７０】
情報管理装置（４０）は、購買情報管理装置（２０）から購買情報と、利用者情報と、を受信した際に、情報管理装置（４０）は、購買情報管理装置（２０）から受信した購買情報に対し、該購買情報を識別するための購入識別情報ＩＤを付加し、情報管理装置（４０）の具備する購買情報データベース（４１）に格納し、図６に示すように、購買情報を管理することになる（ステップＣ８）。また、利用者は、別の店舗にて、移動体通信端末装置（１０）を使用して買い物した際の購買情報も、上記処理と同様に、情報管理装置（４０）の具備する購買情報データベース（４２）に格納されることになる。
【００７１】
（チケット購入時の処理動作）
次に、利用者が移動体通信端末装置（１０）を用いて、空港内に設置されているチケットセンターにてチケットを購入する際の処理動作について説明する。
【００７２】
まず、利用者が空港内に設置されているチケットセンターにてチケットを購入する場合、利用者は、移動体通信端末装置（１０）に搭載された非接触ＩＣカードを用いて、チケットセンターに設置される購買情報管理装置（２０）と近距離無線通信を行い、チケットの精算処理を行うことになる（ステップＣ５）。この時、移動体通信端末装置（１０）は、非接触ＩＣカードに格納されている利用者情報を購買情報管理装置（２０）に送信することになる。また、移動体通信端末装置（１０）は、購買情報管理装置（２０）との近距離無線通信により購入した購買情報を、利用者情報と共に、移動体通信端末装置（１０）に搭載された非接触ＩＣカードに格納することになる（ステップＣ６）。また、購買情報管理装置（２０）は、チケットの精算処理の際に購買情報（利用者が購入した購入商品名と、購入場所と、移動体通信端末装置（１０）の位置情報と、購入時間と、購入者名（利用者識別ＩＤ）を含む情報）を作成し、該作成した購買情報と、利用者情報と、を情報管理装置（４０）に送信することになる（ステップＣ７）。情報管理装置（４０）は、購買情報管理装置（２０）から送信された購買情報に購買情報を識別するための購買情報識別ＩＤを付加し、情報管理装置（４０）の具備する購買情報データベース（４１）にて図６に示すように購買情報を格納管理することになる（ステップＣ８）。
【００７３】
次に、利用者は、移動体通信端末装置（１０）の具備する操作部を用いて、移動体通信端末装置（１０）の具備する格納部に格納されたアプリケーションプログラムを起動し、移動体通信端末装置（１０）は、その起動されたアプリケーションプログラムにより、ＧＰＳ機能を用いて、移動体通信端末装置（１０）の位置情報を取得すると共に、非接触ＩＣカードに格納されている利用者情報を取得することになる。そして、移動体通信端末装置（１０）は、上記取得した位置情報と、利用者情報と、を基に、図１０に示す提供情報取得要求画面を作成し、移動体通信端末装置（１０）の具備する表示部上に表示することになる（ステップＣ９）。
【００７４】
なお、図１０に示す提供情報取得要求画面には、利用者名、住所、電話番号、メールアドレス、現在の位置情報、配信許可時間などの情報が表示されている。
【００７５】
そして、利用者は、移動体通信端末装置（１０）の具備する操作部を用いて図１０に示す配信許可時間の所定のチェックボックスを選択し、図１０に示す「送信キー」を選択することになる。これにより、移動体通信端末装置（１０）は、移動体通信端末装置（１０）の位置情報と利用者情報と共に、提供情報の取得要求を情報提供装置（３０）に送信することになる（ステップＣ１０）。
【００７６】
情報提供装置（３０）は、提供情報の取得要求と共に、位置情報と、利用者情報と、を移動体通信端末装置（１０）から受信した際に、情報提供装置（３０）は、情報管理装置（４０）にアクセスし、利用者情報を基に、利用者情報に含まれる利用者識別ＩＤに関連付けられて購買情報データベース（４１）に格納されている購買情報を取得することになる（ステップＣ１１）。そして、情報提供装置（３０）は、情報管理装置（４０）から取得した購買情報を基に、利用者に好適な購買情報の絞り込みを行うことになる（例えば、利用者がどういった商品を多く購入しているか、その購入商品名は何か等）。
【００７７】
また、情報提供装置（３０）は、利用者に最適な購買情報と、位置情報と、の少なくとも１つの情報を基に、施設運営管理装置（５０）の具備するフライトデータベース（５１）と、空港内施設データベース（５２）と、を検索し、利用者に最適な情報を取得することになる（ステップＣ１２）。なお、施設運管理装置（５０）を検索する際には、利用者情報に含まれる年齢や、性別などの情報も踏まえて、施設運営管理装置（５０）の具備する空港施設データベース（５２）を検索することも可能である。
【００７８】
次に、情報提供装置（３０）は、情報管理装置（４０）から取得した購買情報と、施設運営管理装置（５０）から取得した情報と、を基に、利用者に最適なスケジュールプラン情報を作成し、移動体通信端末装置（１０）に送信することになる（ステップＣ１３）。例えば、情報提供装置（３０）は、利用者に最適な購買情報を基に、利用者に好適な商品を取り扱っている特定の施設があるか否かを検索し、利用者に最適な購買情報に関係する施設名の候補を決定することになる。また、利用者が購入したチケットの購買情報を基に、利用者が搭乗する飛行機の出発時刻、出発ゲートの位置情報と、に照らしあわせ、店舗などに行って、出発時刻に間に合う範囲か、「出発時刻から現在時刻」内で実行可能なスケジュールプラン情報を作成できるか否かを判断し、スケジュールプラン情報を作成することになる。その後、「出発時刻−現在時刻」までの時間差が、図１０に示す配信許可時間の設定時間以上であると判断した場合には、スケジュールプラン情報を移動体通信端末装置（１０）に配信し、図１０に示す配信許可時間内のスケジュールプラン情報であれば、配信許可時間内で時間に余裕があるものから順にお勧めスケジュールプラン情報として、概要をｐｕｓｈ通信にて移動体通信端末装置（１０）に配信することになる。
【００７９】
移動体通信端末装置（１０）は、情報提供装置（３０）からスケジュールプラン情報を受信すると、移動体通信端末装置（１０）の具備する表示部上に、図１１に示すような情報を表示することになる。なお、図１１には、移動体通信端末装置（１０）の利用者に最適なスケジュールプラン情報が表示されており、その表示内容としては、利用者の使用する移動体通信端末装置（１０）の現在の位置情報、利用者が購入した購買情を基に推測した、利用者に最適なお勧めプラン情報が表示されることになる。また、図１２に示すように、図１１に示す利用者に最適なプラン情報の詳細情報を表示するようにすることも可能である。例えば、利用者の現在の位置情報や時間を基に、その位置情報の近辺に設置された施設でクーポンが使える店舗や、それらの店舗の空き状況、搭乗時刻までの過し方などの情報を表示することになる（ステップＣ１４）。
【００８０】
例えば、移動体通信端末装置（１０）を用いて、チケットセンターにてチケットを購入した際に、移動体通信端末装置（１０）の具備する表示部上に表示される図１０に示す提供情報取得要求画面を基に、１時間〜１時間３０分の配信許可時間の項目にチェックして、「送信キー」を押下すると、その情報が、提供情報装置（３０）に送信され、提供情報装置（３０）から利用者に最適なスケジュールプラン情報が移動体通信端末装置（１０）に配信され、移動体通信端末装置（１０）の具備する表示部上に図１１に示すようなスケジュールプラン情報が表示されることになる。そして、利用者が、図１１に示すスケジュールプラン情報の概略の中から、プラン１を選択し、プラン１の詳細情報の閲覧要求を行うと、図１２に示すようなプラン１に関する詳細情報が表示部上に表示されることになる。なお、図１２に示す画面上に表示されている「地図キー」を選択すると、移動体通信端末装置（１０）に搭載されているＧＰＳ機能を用いて現在の場所からプラン１の店舗までの行き方を案内するための地図が現れる。さらに、図１２に示す「ナビキー」を選択すると、プラン１の店舗の情報が表示され、移動体通信端末装置（１０）に搭載されたナビ機能を用いてプラン１の店舗まで道案内をしてくれることになる。また、利用者が飛行機に搭乗するまでのスケジュールプラン情報は、移動体通信端末（１０）に登録され、利用者の搭乗時刻になると移動体通信端末装置（１０）からその旨を警告し、利用者に搭乗時刻になった旨を通知することになる。なお、利用者に搭乗時刻になった旨を通知する際の方法としては、アラーム警告をしたり、表示部上にその旨を表示させたり、バイブ機能によりその旨を知らせたり、移動体通信端末装置（１０）に搭載されているあらゆる機能を用いて搭乗時刻になった旨を通知するようにすることも可能である。これらの処理は、情報提供装置（３０）から取得したアプリケーションプログラムにより実行することが可能である。
【００８１】
なお、利用者が店舗に到着しなかったり、店舗の混雑状況等により、移動体通信端末装置（１０）に配信されたスケジュールプラン情報とズレが生じたと移動体通信端末装置（１０）が判断した場合には、移動体通信端末装置（１０）が、再度、スケジュールプラン情報を配信するように情報提供装置（３０）に対して要求することも可能である。この場合、移動体通信端末装置（１０）が、ある所定時間内に、ある場所（位置）まで到達できないと判断した場合に、スケジュールプラン情報を再度配信させるか否かを利用者に決定させるための情報を、移動体通信端末装置（１０）の具備する表示部上に表示させ、利用者が移動体通信端末装置（１０）を用いて、スケジュールプラン情報を再度配信させると決定した場合に、移動体通信端末装置（１０）が、スケジュールプラン情報の配信要求を情報提供装置（３０）に送信し、情報提供装置（３０）からスケジュールプラン情報を取得し、該取得したスケジュールプラン情報を基に、移動体通信端末装置（１０）の具備する表示部上に再び図１１に示すようなプラン情報を表示することも可能である。これらの処理は、情報提供装置（３０）から取得したアプリケーションプログラムにより実行することが可能である。
【００８２】
なお、上記処理動作においては、移動体通信端末装置（１０）が、スケジュールプラン情報とズレが生じたか否かを判断することにしたが、この判断を情報提供装置（３０）において行うことも可能である。この場合は、スケジュールプラン情報を取得してから所定時間が経過したと移動体通信端末装置（１０）が判断した際に、移動体通信端末装置（１０）の現在の位置情報を情報提供装置（３０）に送信する。そして、情報提供装置（３０）が、移動体通信端末装置（１０）から受信した位置情報を基に、移動体通信端末装置（１０）の利用者に配信したスケジュールプラン情報の予定場所と、移動体通信端末装置（１０）から受信した位置情報と、の差分を基に、スケジュールプラン情報を再度配信させるか否かを判断するように構築することも可能である。
【００８３】
なお、上記実施形態において、利用者が情報提供装置（３０）に登録した利用者情報を変更するときには、移動体通信端末装置（１０）内の利用者情報を変更した後に、変更内容を情報提供装置（３０）に送信することで利用者情報を変更することも可能であるが、商品を購入する際に、移動体通信端末装置（１０）と、購買情報管理装置（２０）と、の間で近距離無線通信処理により購買情報管理装置（２０）が取得した利用者情報を、情報提供装置（３０）に送信することで、情報提供装置（３０）の具備する利用者データベース（３１）に登録した利用者情報を更新することも可能である。これにより、利用者が登録している利用者情報も更新させることも可能となり、いちいち、利用者情報の変更内容を会社毎に通知しなくても済むことになる。
【００８４】
以上の説明から明らかなように、本実施形態における情報提供システムは、利用者に最適な情報が情報提供装置（３０）から提供されるため、利用者が検索エンジンを検索する必要がなく、また、膨大な情報の中から利用者に最適な情報を自分で探す必要がない上に、メーリングリストのように何度もメールを受け取る必要がない。また、利用者に提供される情報は、情報提供装置（３０）が、利用者の使用する移動体通信端末装置（１０）の現在の位置情報と、利用者の過去の購買情報と、を基に取得した情報であるため、利用者は、利用者に最適な情報を常に取得することが可能となる。
【００８５】
また、本実施形態における情報提供システムは、情報提供装置（３０）からスケジュールプラン情報が配信された際に、移動体通信端末装置（１０）内に格納されたアプリケーションプログラムが起動することになり、スケジュールプラン情報を移動体通信端末装置（１０）の具備する表示部上に自動的に表示させることが可能となるため、利用者に最適な情報を容易に閲覧することが可能となる。
【００８６】
また、本実施形態における情報提供システムは、利用者がスケジュールプラン情報を変更したい場合には、移動体通信端末装置（１０）に搭載されたＧＰＳ機能を用いて、現在の移動体通信端末装置（１０）の位置情報を情報提供装置（３０）に送信することで、情報提供装置（３０）から新たなスケジュールプラン情報を取得することが可能となる。
【００８７】
（第４の実施形態）
次に、第４の実施形態について説明する。
第４の実施形態における情報提供システムは、第３の実施形態における情報提供システムのステップＣ１０における提供情報の取得要求の際に、移動体通信端末装置（１０）に格納している購買情報を、情報提供装置（３０）に送信し、情報提供装置（３０）が、移動体通信端末装置（１０）から受信した購買情報を基に、施設運営管理装置（５０）から情報を取得することを特徴とするものである。以下、図１３を参照しながら、第４の実施形態における情報提供システムにおける処理動作について説明する。なお、第４の実施形態における情報提供システムのシステム構成は、第３の実施形態と同様のシステム構成にて構成することになる。また、第４の実施形態の情報提供システムにおけるステップＤ１〜ステップＤ９までの処理動作は、第３の実施形態の情報提供システムにおけるステップＣ１〜ステップＣ９までの処理動作と同様であるため説明を省略する。
【００８８】
まず、利用者は、移動体通信端末装置（１０）の具備する操作部を用いて、移動体通信端末装置（１０）の具備する格納部に格納されているアプリケーションプログラムを起動し（ステップＤ９）、スケジュールプラン情報の取得要求を、移動体通信端末装置（１０）の位置情報と、移動体通信端末装置（１０）に搭載された非接触ＩＣカード内に格納されている購買情報と、共に、情報提供装置（３０）に送信することになる（ステップＤ１０）。この時、移動体通信端末装置（１０）は、非接触ＩＣカード内に格納されている購買情報の履歴を基に、利用者に最適な購買情報を取得することになる。例えば、移動体通信端末装置（１０）は、非接触ＩＣカード内に格納されている購買情報の履歴を基に、利用者の購入頻度の高い購買情報に絞り込んだり、最近の購買情報の履歴の中から利用者の購入頻度の高い購買情報に絞り込んだりすることも可能である。また、移動体通信端末装置（１０）の位置情報を基に、購買情報の履歴の中から位置情報に関連する購買情報のみに絞り込み、利用者に最適な購買情報を取得したりすることも可能である。このように、利用者に関する情報を基に、購買情報の履歴の中から利用者に最適な購買情報に絞り込むことも可能である。
【００８９】
情報提供装置（３０）は、移動体通信端末装置（１０）から提供情報の取得要求を受信すると、その取得要求と共に受信した購買情報と、位置情報と、を基に、施設運営管理装置（５０）の具備するフライトデータベース（５１）と、空港内施設データベース（５２）と、を検索し、利用者に最適な情報を取得することになる（ステップＤ１１）。なお、移動体通信端末装置（１０）が提供情報の取得要求と共に利用者情報も送信し、情報提供装置（３０）が、移動体通信端末装置（１０）から受信した利用者情報に含まれる年齢や、性別などの情報も踏まえて、施設運営管理装置（５０）の具備する空港施設データベース（５２）を検索することも可能である。
【００９０】
次に、情報提供装置（３０）は、施設運営管理装置（５０）から取得した情報を基に、利用者に最適なスケジュールプラン情報を作成し、移動体通信端末装置（１０）に送信することになる（ステップＤ１２）。
【００９１】
移動体通信端末装置（１０）は、情報提供装置（３０）からスケジュールプラン情報を受信すると、移動体通信端末装置（１０）の具備する表示部上に、図１１に示すような情報を表示することになる。なお、図１１には、移動体通信端末装置（１０）の利用者に最適なスケジュールプラン情報が表示されており、その表示内容としては、利用者の使用する移動体通信端末装置（１０）の現在の位置情報、利用者が購入した購買情を基に推測した、利用者に最適なお勧めプラン情報が表示されることになる（ステップＤ１３）。
【００９２】
このように、第４の実施形態における情報提供システムは、移動体通信端末装置（１０）に搭載されている非接触ＩＣカードに格納されている購買情報と、移動体通信端末装置（１０）の位置情報と、を基に、情報提供装置（３０）からスケジュールプラン情報を取得することが可能となり、利用者が任意にアプリケーションプログラムを起動して情報提供装置（３０）から利用者に最適な提供情報を取得することが可能となる。
【００９３】
（第５の実施形態）
次に、第５の実施形態における情報提供システムについて説明する。
第５の実施形態における情報提供システムは、第３、第４の実施形態における情報提供システムと同様のシステム構成であるが、移動体通信端末装置（１０）に搭載されるアプリケーションプログラムを更に改良したことを特徴とする。具体的には、移動体通信端末装置（１０）の具備する表示部上に、図１１に示すスケジュールプラン情報を表示する際には、移動体通信端末装置（１０）内に搭載されたＪＡＶＡ（登録商標）アプリケーションプログラムを用いて行うが、スケジュール表示、アラーム警告、地図表示などは、移動体通信端末装置（１０）内のネイティブアプリケーションを利用することとする。また、非接触ＩＣカード内に格納されている利用者の購買情報のログデータを利用し、利用者が好きなときに、アプリケーションプログラムを起動し、移動体通信端末装置（１０）が情報提供装置（３０）から利用者に最適なスケジュールプラン情報を取得することも可能である。このように、移動体通信端末装置内に搭載されているネイティブアプリケーション機能を用いて情報提供装置（３０）から利用者に最適なスケジュールプラン情報を取得するように構築することも可能である。
【００９４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９５】
また、本実施形態における情報提供システムは、ＧＰＳ機能、非接触ＩＣカードが搭載された移動体通信端末装置（１０）を用いて、空港内のスケジュールプラン情報を移動体通信端末装置（１０）に配信することとしたが、空港内だけでなく、駅やイベント会場など、ほかの場所においても本実施形態における情報提供システムを適用することは可能である。また、移動体通信端末装置（１０）でなくともＧＰＳ機能と非接触ＩＣカードと、を搭載した通信端末装置であれば、本実施形態における情報提供システムを構築することは可能である。
【産業上の利用可能性】
【００９６】
本発明にかかる情報提供システム、情報提供方法及び情報提供装置は、利用者の所望する情報を利用者の通信端末装置に提供する情報提供サービスに適用可能である。
【図面の簡単な説明】
【００９７】
【図１】本実施形態における情報提供システムのシステム構成を示す図である。
【図２】第１の実施形態の情報提供システムにおける一連の処理動作を示すシーケンスチャートである。
【図３】第２の実施形態の情報提供システムにおける一連の処理動作を示すシーケンスチャートである。
【図４】本実施形態における情報提供システムのシステム構成を示す第２の図である。
【図５】本実施形態における情報提供システムを構成する情報提供管理装置（３０）の具備する利用者データベース（３１）のデータ構成を示す図である。
【図６】本実施形態における情報提供システムを構成する情報管理装置（４０）、または、情報提供装置（３０）の具備する購買情報データベース（４１）のデータ構成を示す図である。
【図７】本実施形態における情報提供システムを構成する施設運営管理装置（５０）、または、情報提供装置（３０）の具備するフライトデータベース（５１）のデータ構成を示す図である。
【図８】本実施形態における情報提供システムを構成する施設運営管理装置（５０）、または、情報提供装置（３０）の具備する空港内施設データベース（５２）のデータ構成を示す図である。
【図９】第３の実施形態における情報提供システムにおける一連の処理動作を示すシーケンスチャートである。
【図１０】移動体通信端末装置（１０）の具備する表示部上に表示される提供情報取得要求画面の表示例を示す図である。
【図１１】移動体通信端末装置（１０）の具備する表示部上に表示されるスケジュールプラン情報の表示例を示す図である。
【図１２】移動体通信端末装置（１０）の具備する表示部上に表示されるスケジュールプラン情報の表示例を示す図であり、図１１に示すプラン情報の詳細情報を表示した場合を示す図である。
【図１３】第４の実施形態における情報提供システムにおける一連の処理動作を示すシーケンスチャートである。
【符号の説明】
【００９８】
１０    移動体通信端末装置
２０    購買情報管理装置
３０    情報提供装置
３１    利用者データベース
４０    情報管理装置
４１    購買情報データベース
５０    施設運営管理装置
５１    フライトデータベース
５２    空港内施設データベース
１００    ネットワーク
【図１】
2006163728.tif 000003
【図２】
2006163728.tif 000004
【図３】
2006163728.tif 000005
【図４】
2006163728.tif 000006
【図５】
2006163728.tif 000007
【図６】
2006163728.tif 000008
【図７】
2006163728.tif 000009
【図８】
2006163728.tif 000010
【図９】
2006163728.tif 000011
【図１０】
2006163728.tif 000012
【図１１】
2006163728.tif 000013
【図１２】
2006163728.tif 000014
【図１３】
2006163728.tif 000015